(57)【要約】      （修正有）【課題】簡単な構造で、乾電池と充電池とを交換自在に収納することができ、電池収納室の収納口を下方に向けても電池が収納室から落下してしまうことが防止される収納構造を有する電池収納構造およびその電池収納構造を有する電子機器を提供することを目的とする。【解決手段】電池収納室に一体に形成された片持ち梁形状の第１のバネの自由端部に設けられた凸部１１１ａ、１１１ｂをそれぞれ設ける。また充電池３０が収納されたときに作用する第２のバネ部材１２を設け、その第２のバネ部材１２の突起部１２ａを充電池３０の連結部材３０ｃに当接させることができる位置に配置する。乾電池が収納されたときには第１のバネ部材１１１ａ，１１１ｂを作用させ、充電池３０が収納されたときには第２のバネ部材１２により第１のバネ部材の押圧により生じる側圧荷重の大きさと向きを切り替える。【選択図】    図３（ｂ）
2004253265.tif 000002
【特許請求の範囲】
【請求項１】
乾電池と充電池とを交換自在に収納する電池収納室を有する電池収納体と、
前記電池収納室に乾電池と充電池のいずれの電池が収納された場合であっても収納された電池側面を弾性的に押圧する第１のバネ部材と、
前記電池収納室に乾電池が収納された場合には該乾電池への作用を免れるとともに該電池収納室に充電池が収納された場合には該充電池に作用して該充電池側面を弾性的に押圧する第２のバネ部材とを備えたことを特徴とする電池収納構造。
【請求項２】
前記第１のバネ部材は、前記電池収納体と一体に形成された片持ち梁形状のバネ部材であることを特徴とする請求項１記載の電池収納構造。
【請求項３】
前記第２のバネ部材は、前記電池収納室に収納された充電池により押されて変形することにより、該電池収納室に収納された電池が乾電池であるか充電池であるかを検出するセンサに作用するものであることを特徴とする請求項１記載の電池収納構造。
【請求項４】
電池が収納され収納された電池から電力の供給を受けて動作する電子機器において、
乾電池と充電池とを交換自在に収納する電池収納室を有する電池収納体と、
前記電池収納室に乾電池と充電池のいずれの電池が収納された場合であっても収納された電池側面を弾性的に押圧する第１のバネ部材と、
前記電池収納室に乾電池が収納された場合には該乾電池への作用を免れるとともに該電池収納室に充電池が収納された場合には該充電池に作用して該充電池側面を弾性的に押圧する第２のバネ部材とを備えた電池収納構造を有することを特徴とする電子機器。
【発明の詳細な説明】
【０００１】
【発明の属する技術分野】
本発明は、電池を収納する電池収納構造に関する。
【０００２】
【従来の技術】
電子機器の中には電池を電源として動作するものがある。このように電池を電源として動作する電子機器には乾電池が用いられるものが多いが、近年では充電池が用いられるものもある。
【０００３】
このように乾電池であっても、充電池であっても、電源として電池が用いられる場合には、電池を収納する電池収納部が電子機器本体に設けられることがある。電池収納部には電池の収納口を開閉自在に覆う開閉蓋が設けられ、電池の交換を可能にするものが多い。この開閉蓋が設けられたものでは、電池を収納するときにその開閉蓋を開け、電池を電池収納部に収納してから開閉蓋を閉め、電池を取り出すときには開閉蓋を開け、電池収納部から電池を取り出すことがユーザにより行われる。
【０００４】
しかし、このように収納口に開閉蓋が設けられているものにあっては、ユーザが電池を取り出すときに、その開閉蓋を開けたまま、うっかりその収納口を下方に向けてしまい、電池を落下させてしまうことがある。
【０００５】
この問題に対処するため、電池の落下防止機構を備えた電池収納構造が提案されている（例えば特許文献１、特許文献２、特許文献３参照）。しかしこれらのものはすべて充電池専用、または乾電池専用のものである。
【０００６】
ところで、一般的に乾電池の重さと充電池の重さとは異なり、さらには形状も異なることがある。そのため、乾電池と充電池とを交換自在に収納する電池収納構造に乾電池用の従来の落下防止機構を採用して乾電池の落下を防止しようとしても、あるいは反対に充電池用の従来の落下防止機構を採用して充電池の落下を防止しようとしても乾電池の落下防止機構にあっては充電池の落下を、充電池の落下防止機構にあっては乾電池の落下を防止することは難しい。
【０００７】
【特許文献１】
特開平１０−２００８０１号公報
【特許文献２】
特開平０９−３４０００号公報
【特許文献３】
特開平０８−３２９９１８号公報
【０００８】
【発明が解決しようとする課題】
本発明は、上記事情に鑑み、簡単な構造で、乾電池と充電池とを交換自在に収納することができ、電池収納室の収納口を下方に向けても電池が収納室から落下してしまうことが防止される収納構造を有する電池収納構造およびその電池収納構造を有する電子機器を提供することを目的とする。
【０００９】
【課題を解決するための手段】
上記目的を達成する本発明の電池収納構造は、乾電池と充電池とを交換自在に収納する電池収納室を有する電池収納体と、
上記電池収納室に乾電池と充電池のいずれの電池が収納された場合であっても収納された電池側面を弾性的に押圧する第１のバネ部材と、
上記電池収納室に乾電池が収納された場合にはその乾電池への作用を免れるとともにその電池収納室に充電池が収納された場合にはその充電池に作用してその充電池側面を弾性的に押圧する第２のバネ部材とを備えたことを特徴とする。
【００１０】
上記本発明の電池収納構造によれば、乾電池と充電池とを交換自在に収納することができ、乾電池が電子収納室に収納された場合には第１のバネ部材を作用させ、充電池が電池収納体に収納された場合には第１のバネ部材および第２のバネ部材双方を充電池に作用させ、それぞれの電池に適した側圧荷重を加えることができる。そうすると、収納室の内壁と電池との間に適度の摩擦力を発生させることができ、電池収納室の収納口を下方に向けたとしても電池が落下してしまうとことが防止される。
【００１１】
ここで、上記第１のバネ部材は、上記電池収納体と一体に形成された片持ち梁形状のバネ部材であることが好ましい。
【００１２】
このように第１のバネ部材が上記電池収納体と一体に形成された片持ち梁形状のバネ部材であると、片持ちされたバネ部材の自由端部側を弾力的に電池に当接させることができ、簡単な構造で電池に側圧荷重を加えることができる。
【００１３】
また、上記第２のバネ部材は、上記電池収納室に収納された充電池により押されて変形することにより、その電池収納室に収納された電池が乾電池であるか充電池であるかを検出するセンサに作用するものであることが好ましい。
【００１４】
このように乾電池と充電池が交換自在に収納される電池収納構造において、充電池が収納されたこと検出するセンサに第２のバネ部材が作用するものであると、充電池が収納されたことをセンサにより検出することができる。
【００１５】
このような電池収納構造を電子機器に適用する場合には、
電池が収納され収納された電池から電力の供給を受けて動作する電子機器において、乾電池と充電池とを交換自在に収納する電池収納室を有する電池収納体と、
上記電池収納室に乾電池と充電池のいずれの電池が収納された場合であっても収納された電池側面を弾性的に押圧する第１のバネ部材と、
前記電池収納室に乾電池が収納された場合には該乾電池への作用を免れるとともに該電池収納室に充電池が収納された場合には該充電池に作用して該充電池側面を弾性的に押圧する第２のバネ部材とを備えた電池収納構造を有することを特徴とする。
【００１６】
このように電子機器に上記電池収納構造を適用すると、乾電池と充電池とを交換自在に収納することができ、どちらの電池でも動作する電子機器を提供することができる。また、乾電池、充電池とも収納口を下方に向けても摩擦力により乾電池、充電池の落下が防止され、その摩擦力よりも大きな力を加えるたとえば電子機器全体を軽く振るといったことを行うことで電池を取り出すことができる。
【００１７】
また、この電子機器に制御部と表示装置が配備されていると、上記センサにより充電池が収納されたことを検出したときに、ユーザに対し充電池が収納されていることを表示装置の表示画面により表示させることができる。
【００１８】
【発明の実施の形態】
以下、本発明の実施形態を説明する。
【００１９】
図１は本実施形態である電池収納構造を示す図である。
【００２０】
図１（ａ）は電池収納構造を正面斜め上方から見た図、図１（ｂ）は電池収納構造を背面斜め上方から見た図である。
【００２１】
図１（ａ），（ｂ）に示すように本実施形態の電池収納構造は、乾電池と充電池とを交換自在に収納することができる電池収納体１を有している。この電池収納体１には、２つの円筒状の電池収納室１ａ，１ｂが連なって設けられており、それぞれの電池収納室１ａ，１ｂの側壁が一部重なるようにして連結されている。このように電池収納室１ａ、１ｂの側壁の一部同士を重なるようにして連結させることにより充電池を収納することを可能にする空間部１ｃが形成されている。
【００２２】
ここでこの電池収納体１に収納される電池の構成を示す。
【００２３】
図２（ａ）は乾電池を示す図、また図２（ｂ）はこの電池収納体に交換自在に収納される充電池の構成を示す図である。
【００２４】
図２（ａ）に示す乾電池２０Ａ，２０Ｂが２本個別に電池収納体１に収納される場合には、それぞれの乾電池２０Ａ，２０Ｂが電池収納室１ａ，１ｂに個別に収納される。
【００２５】
また、この電池収納体１に図２（ｂ）に示す充電池が収納される場合には２つの電池収納室１ａ，１ｂに跨って空間部１ｃを埋めるように充電池全体が収納される。図２（ｂ）に示す充電池３０は２本の蓄電池３０Ａ，３０Ｂが連結部材３０ｃにより連結され一体となったもので、ここでは１本の乾電池２０Ａの径とほぼ同じ径を有する蓄電池３０Ａ，３０Ｂが連結部材３０Ｃによって連結されたものが示されている。
【００２６】
電池収納室１ａ，１ｂそれぞれには、乾電池２０Ａ，２０Ｂであっても充電池３０であっても、それら電池が電池収納室１ａ，１ｂに収納されたときに、電池の側面を弾性的に押圧する２つの第１のバネ部材１１ａ、１１ｂがそれぞれ設けられている。これら２つの第１のバネ部材１１ａ，１１ｂそれぞれは、２つの電池収納室１ａ，１ｂそれぞれの側壁がコの字状に切りかかれ、電池収納体１と一体に形成された片持ち梁形状のものである。それら片持ち梁形状の第１のバネ部材１１ａ，１１ｂの自由端部側には電池側に向かって凸部１１１ａ，１１１ｂがそれぞれ設けられ、一方の凸部１１ａが一方の電池収納室１ａの内側に向けて、他方の凸部１１ｂが他方の電池収納室１ｂの内側に向けてそれぞれ配設されている。これら電池収納室１ａ，１ｂの内径は図２に示す乾電池２０Ａ１本分または蓄電池３０Ａ１本分の径よりもやや大きく、乾電池２０Ａまたは蓄電池３０Ａが収納されると、それらの電池の側面により第１のバネ部材１１ａ，１１ｂの凸部１１１ａ，１１１ｂをそれぞれ電子収納室１ａ，１ｂの内側から外側へ向けて押すことができる程度の径を有する。したがって、電池収納室１ａ，１ｂに図２に示す乾電池２０Ａ，２０Ｂが個別に収納された場合であっても、図２に示す充電池３０が２つの電池収納室に跨って収納された場合であっても、それら電池の側面によりこの第１のバネ部材１１ａ，１１ｂが電池室１ａ，１ｂの内側から外側に向けて押される。この押されたことによって第１のバネ部材１１ａに電池収納室内側に向かう反発力が生じ、その反発力により第１のバネ部材１１ａ，１１ｂの凸部１１１ａ，１１１ｂによって電池側面が弾性的に押圧される。
【００２７】
また図１（ｂ）に示すようにこの電池収納体１の背面側には２つの電池収納室１ａ，１ｂに乾電池２０Ａ、２０Ｂがそれぞれ収納された場合にはそれら乾電池２０Ａ，２０Ｂへの作用を免れるとともに２つの電池収納室１ａ，１ｂに跨って充電池３０が収納された場合にはその充電池の連結部３０ｃに作用して充電池２０側面を弾性的に押圧する第２のバネ部材１２が設けられている。
【００２８】
この第２のバネ部材１２は２つの電池収納室１ａ，１ｂを横切るように延びて配設されており、一端が一方の電池収納室１ｂの外壁に保持されている。この第２のバネ部材１２の中央には突起部１２ａが電池側に向けて設けられており、その突起部１２ａが２つの電池収納室を繋ぐ外壁１ｄに設けられた孔に嵌入されている。この突起部１２ａは、乾電池２０Ａ，２０Ｂが２本個別に電池収納室１ａ，１ｂに収納されたときは電池に接触しないが、充電池３０が電池収納室１ａ，１ｂに跨って収納されたときには、充電池３０の連結部３０ｃに当接して充電池３０の連結部の側面により電池収納室１ａ，１ｂの内側から外側に向けて押される。その押されたことにより第２のバネ部材１２に反発力が生じ、この反発力により充電池の側面が押圧される。
【００２９】
このように乾電池１０Ａ，１０Ｂが電池収納室１ａ，１ｂにそれぞれ収納されたときには第１のバネ部材１１ａ，１１ｂにより乾電池２０Ａ，２０Ｂの側面をそれぞれ押圧し、充電池３０が電池収納室１ａ，１ｂに跨って収納されたときには、第１のバネ部材１１ａ，１１ｂにより充電池３０の側面を押圧するとともに第２のバネ部材１２によっても充電池３０の連結部３０ｃを押圧する。
【００３０】
しかし、このようにして交換自在に収納される乾電池あるいは充電池の重量は異なるので、双方の電池に第１のバネ部材により同じ側圧荷重を加えると、乾電池の外周と電池収納室の内壁との間に電池が取り出せなくなるほどの摩擦力が発生してしまう恐れがある。また、乾電池２０Ａ，２０Ｂの方は２本個別に収納され、充電池３０の方は２本の充電池が連結されて一体となって収納され、形状が異なるので、いずれの電池にも同じ側圧荷重を加えると、乾電池２０Ａ，２０Ｂあるいは充電池３０が取りだせなくなる事態が発生する恐れがある。
【００３１】
そこで、ここでは乾電池２０Ａ、２０Ｂが個別に収納されたときには第２のバネ部材１２を作用させずに、第１のバネ部材１１ａ，１１ｂにより乾電池それぞれを押圧して個別に側圧荷重を与え、それぞれの乾電池２０Ａ，２０Ｂの外周と収納室１ａ，１ｂの内壁との間に乾電池にあった摩擦力を発生させるようにし、また２本の蓄電池３０Ａ，３０Ｂが連結されて一体となっている充電池３０が収納されたときには、第２のバネ部材１２を充電池３０の連結部３０ｃに当接させることによって第１のバネ部材１１ａ，１１ｂにより充電池３０の側面に加えられる側圧荷重の大きさおよび向きを切り替え、充電池３０の外周と電池収納室１ａ，１ｂの内壁との間に充電池にあった摩擦力を発生させるようにしている。
【００３２】
この第１のバネ部材１１ａ，１１ｂの作用と第２のバネ部材１２ａの作用を、図３を参照して説明する。
【００３３】
図３は第１のバネ部材１１ａ，１１ｂの作用および第２のバネ部材１２ａの作用を説明する図である。
【００３４】
図３（ａ）には乾電池２０Ａ，２０Ｂが電池収納室１ａ，１ｂに収納されたときの第１のバネ部材１１ａ，１１ｂの凸部１１１ａ，１１１ｂと電池２０Ａ，２０Ｂとの係わりがそれぞれ示されており、また図３（ｂ）には充電池３０が電池収納室１ａ，１ｂに収納されたときの第１のバネ部材１１ａ，１１ｂの凸部１１１ａ，１１１ｂおよび第２のバネ部材１２の突起部１２ａと、充電池３０との係わりがそれぞれ示されている。
【００３５】
図３（ａ）に示すように乾電池２０Ａ，２０Ｂが収納された場合には、第２のバネ部材１２の突起部１２ａは作用せず、第１のバネ部材１１ａ，１１ｂの凸部１１１ａ，１１１ｂにより乾電池２０Ａ，２０Ｂそれぞれが個別に押圧されている。前述したように片持ち梁形状の第１のバネ部材１１ａ，１１ｂそれぞれは、電池室１ａ，１ｂの内側に突出するようにして配設されている（図中の点線部）。この状態のときに乾電池１０Ａ，１０Ｂが電池収納室１ａ，１ｂそれぞれに個別に収納されると、それぞれの凸部１１１ａ，１１１ｂが２本の乾電池２０Ａ，２０Ｂの側面によって外側方向にそれぞれ押される。そうすると、第１のバネ部材１１ａ，１１ｂが電池収納室１ａ，１ｂの内側から外側へ押され、この第１のバネ部材１１ａ，１１ｂに反発力が生じ、弾性的に乾電池それぞれが押圧される。これらの押圧により図３（ａ）に示す矢印の方向に乾電池の重量に応じてそれぞれ１．４Ｎ程度の側圧荷重が加えられる。このようにするとこの電池収納体１全体を軽く振ったときに電池が落下する程度の摩擦力を乾電池それぞれの外周と電池収納室それぞれの内壁との間に発生させることができる。
【００３６】
このように乾電池２本が電池収納室１ａ，１ｂに個別に収納された場合には第１のバネ部材１１ａ，１１ｂにより個別に側圧荷重が加えられる。
【００３７】
これに対し、図３（ｂ）に示すように充電池３０が電池室１ａ，１ｂに収納されると、第２のバネ部材１２が作用することによって、第１のバネ部材による側圧荷重の大きさと向きの切り替えが行われる。このときには第２のバネ部材１２の突起部１２ａが充電池３０の連結部３０ｃに当接することで変形して、第２のバネ部材３０が電池収納室内側から外側へ向かう方向に押される。そうすると、第２のバネ部材に反発力が生じ、この反発力により弾性的に充電池３０が押圧される。図３（ｂ）には第２のバネ部材１２によって図３（ｂ）の下向きに押圧されたときに、第１のバネ部材１１ａ，１１ｂにより加えられていた側圧荷重の向きと大きさが切り替えられたことが実線の矢印により示されている。図３（ｂ）に示すように、点線の矢印の方向にそれぞれ押圧が加えられると、３つの矢印がベクトル的に合成され、上下方向に１．０Ｎの側圧荷重が加えられるようになる。そうすると充電池３０にあった側圧荷重を充電池３０に加えることができ、充電池３０の外周と電池収納室１ａ，１ｂの内壁との間に充電池３０の重量に応じた適度の摩擦力を発生させることができる。
【００３８】
また、図３（ｂ）には充電池３０が電池収納室に収納され、第２のバネ部材１２が変形したときに、この第２のバネ部材１２をセンサに作用させたときの状態も示されている。図３（ｂ）にはアクチュエータ部分に回転部を有するセンサ４０を示し、このセンサ４０の回転部に第２のバネ部材の端部を当接させることでセンサ４０の回転部を回転させている状態が示されている。このセンサは回転部が回転し、図３（ｂ）の実線で示す位置に回転部が位置することによりオン信号が出力され、図３（ｂ）の点線で示す位置に回転部が位置しているときにはオフ信号が出力される。したがってセンサ４０の回転部を第２のバネ部材１２の変形により回転させたときに、このセンサから出力されるオン信号を制御部たとえばＣＰＵで受けることによって、乾電池と充電池のどちらが電池収納体に収納されているかがＣＰＵにより判断される。
【００３９】
なお、センサのアクチュエータ部に回転部を有するものを例に挙げたが、このセンサは第２のバネ部材がセンサのアクチュエータ部に作用したときに信号が出力されるものであればどのようなものであっても良い。
【００４０】
以上説明した電池収納構造をデジタルカメラ２００に適用した場合の一例を図４に示す。
【００４１】
図４は本実施形態の電池収納構造を電子機器に適用した場合の一例である。
【００４２】
図４に示すようにデジタルカメラ２００のカメラボディ２００Ａ底面に電池収納体１の収納口を開閉自在に覆う開閉蓋２００Ｂが設けられている。この開閉蓋２００ｂを開けて電池の交換が行われるが、ここで開閉蓋を開け、電池収納体１の収納口を下方に向けたままにしておいても本実施形態の電池収納構造が有する電池収納体１に収納されている電池は落下せずにカメラ本体内に留まったままになる。この電池を取り出すときには、このデジタルカメラ２００を軽く振れば乾電池であっても充電池であっても取り出すことができる。
【００４３】
またこのデジタルカメラには背面には画像表示用のＬＣＤ表示装置が設けられており、このデジタルカメラ内部には前述したセンサ４０が配備されているので、ＬＣＤ表示装置の表示画面にはそのセンサ４０からの出力信号に基づいて充電池が収納されていることを表わす表示が行われる。このように充電池が収納されていることを表わす表示を行うことで、このデジタルカメラ２００に乾電池ではなく充電池が収納されていることがユーザに伝えられる。
【００４４】
【発明の効果】
以上、説明したように、本発明のカメラによれば、簡単な構造で、乾電池と充電池とを交換自在に収納することができ、電池収納室の収納口を下方に向けても電池が収納室から落下してしまうことが防止される収納構造を有する電池収納構造およびその電池収納構造を有する電子機器を提供することができる。
【図面の簡単な説明】
【図１（ａ）】本実施形態の電池収納構造を正面斜め上方から見た図である。
【図１（ｂ）】本実施形態の電池収納構造を背面斜め上方から見た図である。
【図２（ａ）】本実施形態の電池収納構造が有する電池収納体に収納される乾電池を示す図である。
【図２（ｂ）】電池収納体に交換自在に収納される充電池の構成を示す図である。
【図３（ａ）】乾電池が収納されたときの第１のバネ部材、第２のバネ部材の作用を説明する図である。
【図３（ｂ）】充電池が収納されたときの第１のバネ部材、第２のバネ部材の作用を説明する図である。
【図４】本実施形態の電池収納構造を電子機器に適用した場合の一例である。
【符号の説明】
１  電池収納体
１ａ  １ｂ  電池収納室
１ｃ    空間部
１ｄ    ２つの電池収納室を繋ぐ外壁
１１ａ  １１ｂ  第１のバネ部材
１１１ａ  １１１ｂ  凸部
１２    第２のバネ部材
１２ａ    突起部
２０Ａ  ２０Ｂ  乾電池
３０  充電池
３０Ａ  ３０Ｂ    蓄電池
３０Ｃ    連結部材
４０    センサ
２００    デジタルカメラ
２００Ａ    カメラボディ
２００Ｂ    開閉蓋
【図１（ａ）】
2004253265.tif 000003
【図１（ｂ）】
2004253265.tif 000004
【図２（ａ）】
2004253265.tif 000005
【図２（ｂ）】
2004253265.tif 000006
【図３（ａ）】
2004253265.tif 000007
【図３（ｂ）】
2004253265.tif 000008
【図４】
2004253265.tif 000009